(57)【要約】【課題】  表面に歪みのある窓ガラスに対してもワイパーブレードを完全に密着させることができ、拭き残し領域の生じることのない窓ガラス洗浄装置のワイパーブレード保持装置を提供する。【解決手段】  建物の窓ガラスの表面を自動洗浄する窓ガラス洗浄装置に設けられるワイパーブレード保持装置であって；  ワイパーユニットのフレームに取り付けられ、長尺のワイパーブレードを保持するワイパーホルダにワイパーユニットのフレームとの間の距離調整ネジを設けると共に、ワイパーホルダとフレームとの間に圧縮バネを設け、  上記距離調整ネジを調整し、上記フレームに対するワイパーホルダの移動可能距離を設定することにより、当該移動可能距離の範囲内でワイパーホルダがガラス面の歪みに合わせて曲げられ、これによりワイパーブレードがガラス面に密着し得るよう構成したことを特徴とする。【選択図】  図１
2006014997.tif 000002
【特許請求の範囲】
【請求項１】
建物の外壁面に沿って移動可能な台車機構（４）に搭載したワイパーユニット（３）により当該建物の窓ガラス（１）の表面を自動洗浄する窓ガラス洗浄装置に設けられるワイパーブレード保持装置であって；
ワイパーユニット（３）のフレーム（３ａ）に取り付けられ、長尺のワイパーブレード（３ｃ）を保持するワイパーホルダ（３ｂ）にワイパーユニットのフレーム（３ａ）との間の距離調整ネジ（３ｅ−１〜３ｅ−３）を設けると共に、ワイパーホルダ（３ｂ）とフレーム（３ａ）との間に圧縮バネ（３ｆ−１〜３ｆ−６）を設け、
上記距離調整ネジ（３ｅ−１〜３ｅ−３）を調整し、上記フレーム（３ａ）に対するワイパーホルダ（３ｂ）の移動可能距離を設定することにより、当該移動可能距離の範囲内でワイパーホルダ（３ｂ）がガラス面の歪みに合わせて曲げられ、これによりワイパーブレード（３ｃ）がガラス面に密着し得るよう構成したことを特徴とする建物の窓ガラス洗浄装置のワイパーブレード保持装置。
【請求項２】
ワイパーホルダ（３ｂ）に、その長手方向に直角な複数の切込み（３ｂ−１，３ｂ−２）を設けたことを特徴とする請求項１に記載の建物の窓ガラス洗浄装置のワイパーブレード保持装置。
【請求項３】
ワイパーユニット（３）の上部に水タンク（5）を着脱自在に設け、当該水タンクからガラス面に給水可能なよう構成したことを特徴とする請求項１又は２に記載の建物の窓ガラス洗浄装置のワイパーブレード保持装置。
【発明の詳細な説明】
【技術分野】
【０００１】
本発明は、建物の窓ガラスの自動洗浄装置のワイパーブレード保持装置に関し、より具体的には、窓ガラスの表面の歪みに応じてワイパーブレードが曲がり、ガラス面に密着し得るように構成したワイパーブレード保持装置に関するものである。
【背景技術】
【０００２】
窓ガラスの外面を自動的に洗浄する装置は、これまでにも多く提案されており、それらの例として例えば下記特許文献１〜３に記載のものを挙げることができる。
【０００３】
【特許文献１】特表２００３−５１６７９２号公報
【特許文献２】特願２００４−０８２４２５
【特許文献３】特願２００４−１３６９５１
【０００４】
これらの装置においては、一般的に、建物の外壁面に沿って移動可能な台車機構に設けたワイパーユニットのワイパーブレードでガラスの表面を拭き清めるようになっており、洗浄作業中には、窓ガラスの表面に給水パイプ等を通じて水等の洗浄水が掛け流されるようになっている。
然しながら、窓ガラスの表面は必ずしも完全に平坦ではなく、或る程度の歪みを有しているため、自動洗浄時にワイパーブレードが接触しない領域が生じ、拭き残しによる未洗浄部分が発生するという問題があった。ワイパーブレード自体の弾力性によって対応できる範囲の歪みであれば問題はないが、それだけでは対応不可能なレベルの歪みを有するガラス板も存在するのが実情である。
【発明の開示】
【発明が解決しようとする課題】
【０００５】
本発明は、上記の問題点を解決するためなされたものであり、その目的とするところは、表面に歪みのある窓ガラスに対してもワイパーブレードを完全に密着させることができ、拭き残しによる未洗浄領域の生じることのない窓ガラス洗浄装置のワイパーブレード保持装置を提供することにある。
また、これと併せて、ガラス面への洗浄水の供給を効率よく行い得るように構成した窓ガラス洗浄装置のワイパーブレード保持装置を提供することにある。
【課題を解決するための手段】
【０００６】
上記の目的は、
建物の外壁面に沿って移動可能な台車機構に搭載したワイパーユニットにより当該建物の窓ガラスの表面を自動洗浄する窓ガラス洗浄装置に設けられるワイパーブレード保持装置であって；
ワイパーユニットのフレームに取り付けられ、長尺のワイパーブレードを保持するワイパーホルダにワイパーユニットのフレームとの間の距離調整ネジを設けると共に、ワイパーホルダとフレームとの間に圧縮バネを設け、
上記距離調整ネジを調整し、上記フレームに対するワイパーホルダの移動可能距離を設定することにより、当該移動可能距離の範囲内でワイパーホルダがガラス面の歪みに合わせて曲げられ、これによりワイパーブレードがガラス面に密着し得るよう構成したことを特徴とする建物の窓ガラス洗浄装置のワイパーブレード保持装置によって達成される。
好ましい実施例においては、ワイパーホルダに、その長手方向に直角な複数の切込みを適宜の間隔を介して設け、ワイパーホルダに適宜の可撓性を与えるようにすることが推奨される。
更に、これらの場合において、ワイパーユニットの上部に水タンクを着脱自在に設け、当該水タンクからガラス面に給水可能なように構成することが推奨される。
【発明の効果】
【０００７】
上記の如き構成であると、ワイパーホルダがガラス面の歪みに合わせて曲がり、これによりワイパーブレードがガラス面に密着するようになるので、ガラス面に拭き残しによる未洗浄領域が生じることのない窓ガラス洗浄装置のワイパーブレード保持装置を提供できるものである。
また、上記ワイパーブレード保持装置を備えたワイパーユニットの上部に水タンクを設け、当該水タンクからガラス面に給水可能なよう構成することにより、窓ガラスに沿って給水パイプを敷設する必要がなくなり、設備コストの削減をも図り得るものである。
【発明を実施するための最良の形態】
【０００８】
以下、図面に示す実施例を参照しつつ、本発明を実施するための最良の形態について説明する。
【実施例】
【０００９】
図１は、本発明に係る窓ガラス洗浄装置のワイパーブレード保持装置を備えたワイパーユニットの一実施例の一部破断上面図、図２は、図１中におけるII−II線に沿った断面図、図３は、ワイパーユニットの上部に水タンクを設けた実施例を示す断面図である。
先ず、図１及び図２について説明する。
両図中、１は窓ガラスのガラス板、２Ａは左右のガラス板間に設けられる縦方向に伸びる方立（左右のガラス板を連結、固定する縦向きの桟）、２Ｂは上下のガラス板間に設けられる無目（上下のガラス板を連結、固定する横向きの桟）、３はワイパーユニット、４は台車機構である。
ワイパーユニット３において、３ａはそのフレーム、３ｂはワイパーホルダ、３ｂ−１及び３ｂ−２は切込み、３ｃはワイパーブレード、３ｄはガイドローラ、３ｅ−１ないし３ｅ−３は距離調整ネジ、３ｆ−１ないし３ｆ−６は圧縮バネである。
【００１０】
台車機構４は、図では省略した牽引ロープ等により、方立２Ａに形成したガイドレールに沿って建物の外壁面上を上下方向（図１の紙面に対して垂直方向）に昇降移動し得るようになっている。
当該台車機構４には、ワイパーユニット３が搭載され、ワイパーユニット３のフレーム３ａに取り付けられたワイパーホルダ３ｂに、窓ガラスのガラス板１の表面に接触してこれを拭き清める長尺のワイパーブレード３ｃが取り付けられている。
ワイパーホルダ３ｂの両端には、ガイドローラ３ｄが取り付けられ、ワイパーホルダ３ｂをガラス板の表面と一定の距離を保って昇降移動させ得るようになっている。
【００１１】
本発明においては、図示する如く、ワイパーホルダ３ｂに、その長手方向に直角な複数（図示した実施例では２箇所）の切込み３ｂ−１，３ｂ−２を設けることにより、当該ワイパーホルダ３ｂに若干の可撓性が与えられるようになっている。即ち、ワイパーホルダ３ｂがその長手方向に真っ直ぐな状態から、僅かに湾曲した状態に曲げられ得るようになっている。
ワイパーホルダ３ｂの両端近く及び上記切込み３ｂ−１と３ｂ−２の間には、ワイパーホルダ３ｂとワイパーユニットのフレーム３ａとの間の距離調整ネジ３ｅ−１〜３ｅ−３（図示した実施例では３本）が取り付けられると共に、ワイパーホルダ３ｂとワイパーユニットのフレーム３ａとの間に両者が開離する方向にの圧力を及ぼす圧縮バネ３ｆ−１〜３ｆ−６（図示した実施例では６個のΩ状に湾曲した板バネ）が設けられている。
【００１２】
距離調整ネジ３ｅ−１〜３ｅ−３は、いずれもその先端側には雄ネジが切られ、ワイパーホルダ３ｂに切られた雌ネジにねじ込まれるようになっているが、距離調整ネジ３ｅ−１〜３ｅ−３の頭部に近い一定範囲の領域には雄ネジは切られておらず、ワイパーユニットのフレーム３ａに明けた孔内に遊嵌された状態で軸方向に自由にスライドできるようになっている。即ち、距離調整ネジ３ｅ−１〜３ｅ−６は、いずれもその先端側はワイパーホルダ３ｂに対して所望のねじ込み量でねじ込まれているが、頭部側はワイパーユニットのフレーム３ａに対して固定されておらず、軸方向にスライド自在に挿通された状態になっている。
そのため、仮に、ワイパーブレード３ｃのどの部分もガラス板１に接触していないとすれば、ワイパーホルダ３ｂは圧縮バネ３ｆ−１〜３ｆ−６の押出し力で、図中、左側へ移動可能な最終位置まで押し出された状態になり、このとき距離調整ネジ３ｅ−１〜３ｅ−３の頭部は圧縮バネ３ｆ−１〜３ｆ−６の作用でいずれもワイパーユニットのフレーム３ａに押し付けられた状態となるものである。
【００１３】
そこで、窓ガラスの洗浄作業開始時に、ワイパーブレード３ｃの先端がガラス板１に接触した状態において、調整ネジ３ｅ−１〜３ｅ−３の頭部がワイパーユニットのフレーム３ａの表面から幾分離れて（ガラス板の歪み予想量に相当する例えば１〜３ｃｍ程度の長さ）浮き上がった状態となるように、調整ネジ３ｅ−１〜３ｅ−３のワイパーホルダ３ｂに対するねじ込み量を調整しておく。
その状態で、台車機構４をゆっくりと降下させながら窓ガラスの自動洗浄作業を開始すると、ガラス板１の外面が屋内側へ凹んだ領域では、その領域に対応するワイパーホルダ３ｂの一部がその部分の圧縮バネ（３ｆ−１〜３ｆ−６の少なくとも１つ）の作用でガラス板１へ向けて押し出され（このとき、その部分に対応する調整ネジの頭部とワイパーユニットのフレーム３ａの表面との間隔は短くなる）、ワイパーホルダ３ｂ及びワイパーブレード３ｃが若干曲がった状態となって、ワイパーブレード３ｃとガラス板１の表面との接触状態が確保される。
これとは逆に、ガラス板１の外面が屋外側へ膨出した領域では、その領域に対応するワイパーホルダ３ｂの一部がその部分の圧縮バネを押し縮める形でワイパーユニットのフレーム３ａの側へ移動し（このとき、その部分に対応する調整ネジの頭部とワイパーユニットのフレーム３ａの表面との間隔は長くなる）、ワイパーホルダ３ｂ及びワイパーブレード３ｃが若干曲がった状態となって、ワイパーブレード３ｃとガラス板１の表面との接触状態が保たれる。
【００１４】
図３には、上記の如く構成されたワイパーブレード保持装置を備えたワイパーユニット３の上部に水タンク５を着脱自在に設けた実施例を示している。水タンク５は、前記ワイパーホルダ３ｂとほぼ同等の長手方向の長さを有している。
給水ホース（図では省略）を通じて水タンク５内に供給、貯留された水は、水タンク５の長手方向に沿って設けた複数の排水口４ａを通じて、洗浄すべきガラス板１の表面に流し掛けられるようになっている。
ワイパーユニット３の上部にこのような水タンク５を設けることにより、多層階の窓ガラスの無目又は方立に沿って給水パイプを配管する必要がなくなり、設備コストの削減を図ることが可能となる。
【００１５】
なお、本発明は上記の実施例に限定されるものではなく、例えば、上記実施例においては、ワイパーホルダに切込みを入れて可撓性を付与する例を示したが、これは必須の要件ではなく、ワイパーホルダーが適当な可撓性を有するときは、この切込みを設けることを要しないものであり、本発明はその目的の範囲内において、上記の説明から当業者が容易に想到し得るすべての変更実施例を包摂するものである。
【産業上の利用可能性】
【００１６】
本発明は上記の如く構成されるから、本発明によるときは、ワイパーホルダがガラス面の歪みに合わせて曲がり、これによりワイパーブレードがガラス面に密着することができるので、拭き残しによる未洗浄領域が生じることのない窓ガラス洗浄装置のワイパーブレード保持装置を提供できるものである。
また、ワイパーユニットの上部に水タンクを設け、当該水タンクからガラス面に給水可能なよう構成することにより、窓ガラスに沿って給水パイプを敷設する必要がなくなり、設備コストの削減をも図り得るものである。
【図面の簡単な説明】
【００１７】
【図１】本発明に係る窓ガラス洗浄装置のワイパーブレード保持装置を備えたワイパーユニットの一実施例の一部破断上面図である。
【図２】図１中におけるII−II線に沿った断面図である。
【図３】ワイパーユニットの上部に水タンクを設けた実施例を示す断面図である。
【符号の説明】
【００１８】
１    窓ガラスのガラス板
２Ａ  方立
２Ｂ  無目
３    ワイパーユニット
３ａ  フレーム
３ｂ  ワイパーホルダ
３ｂ−１及び３ｂ−２  切込み
３ｃ  ワイパーブレード
３ｄ  ガイドローラ
３ｅ−１〜３ｅ−３    距離調整ネジ
３ｆ−１〜３ｆ−６    圧縮バネ
４    台車機構
５    水タンク
５ａ  排水口
５ｂ  スライド弁
【図１】
2006014997.tif 000003
【図２】
2006014997.tif 000004
【図３】
2006014997.tif 000005
【手続補正書】
【提出日】平成16年7月5日(2004.7.5)
【手続補正１】
【補正対象書類名】明細書
【補正対象項目名】００１４
【補正方法】変更
【補正の内容】
【００１４】
図３には、上記の如く構成されたワイパーブレード保持装置を備えたワイパーユニット３の上部に水タンク５を着脱自在に設けた実施例を示している。水タンク５は、前記ワイパーホルダ３ｂとほぼ同等の長手方向の長さを有している。
給水ホース（図では省略）を通じて水タンク５内に供給、貯留された水は、水タンク５の長手方向に沿って設けた複数の排水口５ａを通じて、洗浄すべきガラス板１の表面に流し掛けられるようになっている。
ワイパーユニット３の上部にこのような水タンク５を設けることにより、多層階の窓ガラスの無目又は方立に沿って給水パイプを配管する必要がなくなり、設備コストの削減を図ることが可能となる。
【手続補正２】
【補正対象書類名】明細書
【補正対象項目名】００１８
【補正方法】変更
【補正の内容】
【００１８】
１    窓ガラスのガラス板
２Ａ  方立
２Ｂ  無目
３    ワイパーユニット
３ａ  フレーム
３ｂ  ワイパーホルダ
３ｂ−１及び３ｂ−２  切込み
３ｃ  ワイパーブレード
３ｄ  ガイドローラ
３ｅ−１〜３ｅ−３    距離調整ネジ
３ｆ−１〜３ｆ−６    圧縮バネ
４    台車機構
５    水タンク
５ａ  排水口
【手続補正３】
【補正対象書類名】図面
【補正対象項目名】図３
【補正方法】変更
【補正の内容】
【図３】
2006014997.tif 000006